(57)【要約】【課題】【解決手段】  自動車用照明装置（１）は、少なくとも１つの照明ユニット（２）、例えば２つ以上の照明ユニット（２）を備え、各発光ユニット（２）は、反射器（３）と、反射体（３）に対応する少なくとも１つの光源（４）と、を備え、少なくとも１つの光源からの光（４）は、対応する反射器（３）（照明装置（１）の設置状態で）を介して車両の前方の領域内に放出され、１つ以上の光源（４）は、少なくとも１つの取付体（５）、好ましくは共通取付体（５）に、好ましくは固定して、配置される。本発明によれば、少なくとも１つの照明ユニット（２）の反射器（３）、又は、少なくとも１つの反射器（３）、好ましくは２つ以上の照明ユニット（２）の２つ以上の照明ユニット（２）、特に好ましくは全ての反射器（３）は、各反射器（３）に割り当てられた少なくとも１つの軸、例えば垂直軸（Ｚ）を中心に回動可能となるように、少なくとも１つの反射器（３）に取り付けられ、かつ、回動位置に固定することができる。【選択図】図５
2015525952.tif 000002
【特許請求の範囲】
【請求項１】
少なくとも１つの照明ユニット（２）、例えば２つ以上の照明ユニット（２）を備え、
各照明ユニット（２）は、
・反射器（３）と、
・反射器（３）に対応する少なくとも１つの光源（４）と、
を含み、
少なくとも１つの光源（４）からの光は、（照明装置（１）の設置状態で）対応する反射器（３）を介して車両の前方の領域内に放出され、
１つ以上の光源（４）は、少なくとも１つの取付体（５）に、好ましくは共通取付体（５）に、好ましくは固定して、配置され、
少なくとも１つの照明ユニット（２）の反射器（３）、又は、２つ以上の照明ユニット（２）の場合は少なくとも１つの反射器（３）、好ましくは２つ以上の照明ユニット（２）の２つ以上の反射器（３）、特に好ましくは全ての反射器（３）は、それぞれの反射器（３）に割り当てられた少なくとも１つの軸、例えば垂直軸（Ｚ）を中心に回動可能となるように、少なくとも１つの取付体（５）に取り付けられ、かつ、回動位置に固定することができることを特徴とする、
自動車用照明装置（１）。
【請求項２】
１つの反射器ホルダ（６）が、各反射器（３）を回動可能とするために設けられ、
該反射器ホルダ（単数又は複数）（６）は、取付体（５）に対して少なくとも１つの軸、例えば垂直軸（Ｚ）を中心に回動可能となるように取り付けられることを特徴とする、
請求項１記載の照明装置。
【請求項３】
回動可能な反射器（３）は、該反射器ホルダに固定して接続されるか、又は、好ましくは反射器ホルダ（６）と一体に形成されることを特徴とする、
請求項２記載の照明装置。
【請求項４】
回動可能な反射器（３）は、該反射器ホルダ（６）から分離して形成された構成部品（７）として形成され、
該構成部品（７）は、反射器ホルダ（６）に移動可能に取り付けられる（支承される）ことを特徴とする、
請求項２記載の照明装置。
【請求項５】
該反射器ホルダ（６）は、固定手段を用いて、例えば少なくとも１つのネジ（１０）を用いて取付体（５）に回動位置で固定することができることを特徴とする、
請求項２乃至４のいずれか一に記載の照明装置。
【請求項６】
該反射器ホルダ（６）から分離して形成された該構成部品（７）は、固定手段を用いて、例えば少なくとも１つのネジ（２１）を用いて、該反射器ホルダ（６）に固定することができることを特徴とする、
請求項４又は５記載の照明装置。
【請求項７】
該反射鏡ホルダ（６）は、取付体（５）に配置された第１軸受点（８０）及び第２軸受点（９０）を介して垂直軸（Ｚ）を中心に回動可能となるように取り付けられることを特徴とする、
請求項２乃至６のいずれか一に記載の照明装置。
【請求項８】
２の軸受点（８０、９０）は、互いに対向して、例えば（装着状態で）取付体（５）の上部及び下部領域に配置されることを特徴とする、
請求項７記載の照明装置。
【請求項９】
取付体（５）は、
光源（４）を取り付けるための水平光源取付部（５０）と、
水平光源取付部（５０）から垂直方向に離れて延在する垂直部（５１）と、
光源取付部（５０）に対して略平行に延在する少なくとも１つのさらなる軸受点部（５２）と、
を有し、
該軸受点部（５２）には、少なくとも１つの反射器ホルダ（６）のための少なくとも１つの軸受点（８０）が配置され、
第２の軸受点（９０）は、光源取付部（５０）に配置される、
ことを特徴とする、
請求項７又は８記載の照明装置。
【請求項１０】
軸受点部（５２）は、各反射器ホルダ（６）のために設けられ、
各軸受点部（５２）は、該反射器ホルダ（６）のための軸受点（８０）を有する、
ことを特徴とする
請求項７乃至９のいずれか一に記載の照明装置。
【請求項１１】
軸受点部は、取付体（５）から分離され、かつ、取付体（５）の光源取付部（３０）から離れて対向する領域に取付体（５）に固定的に接続することができる取付プレート（５２）として形成されることを特徴とする、
請求項１０記載の照明装置。
【請求項１２】
少なくとも１つの固定手段、例えば固定ネジ（１０）が、少なくとも１つの軸受点部（５２）に回転可能に取り付けられ、
該反射器ホルダ（６）は、固定手段（１０）によって垂直軸（Ｚ）を中心に回動可能な位置に固定することができる、
ことを特徴とする、
請求項７乃至１１のいずれか一に記載の照明装置。
【請求項１３】
該反射器ホルダ（６）から分離する構成部品（７）は、垂直方向に変位可能となるように該反射器ホルダ（６）に取り付けられることを特徴とする、
請求項４、７乃至１２のいずれか一に記載の照明装置。
【請求項１４】
該反射器ホルダ（６）から分離する構成部品（７）は、軸、好ましくは垂直軸（Ｚ）を中心にそれに対して回動可能となるように該反射器ホルダ（６）に取り付けられることを特徴とする、
請求項４、７乃至１３のいずれか一に記載の照明装置。
【請求項１５】
少なくとも１つの固定手段、例えば固定ネジ（２１）が設けられ、
該固定手段（２１）によって、該構成部品（７）は、該反射器ホルダ（６）に、好ましくは反射器ホルダ（６）の垂直部内に固定することができる、
ことを特徴とする、
請求項１３又は１４記載の照明装置。
【請求項１６】
該反射器ホルダ（６）のための軸受点（９０）は、円筒状突起（９０）として形成され、
該反射器ホルダ（６）は、対応する円筒状開口部、好ましくは部分円筒状開口部（９１）を有し、
それによって、該反射器ホルダ（６）は、円筒状突起（９０）に回転可能に取り付けられる、
ことを特徴とする
請求項７乃至１５のいずれか一に記載の照明装置。
【請求項１７】
該円筒状突起（９０）は、取付体（５）の光源取付部（５０）に配置されることを特徴とする、
請求項１６記載の照明装置。
【請求項１８】
該円筒状突起（９０）は、光源取付部（５０）の、又は、軸受点部の内面に配置されることを特徴とする、
請求項１６又は１７記載の照明装置。
【請求項１９】
該円筒状突起（９０）は、光源取付部（５０）の、又は、軸受点部の外面に配置され、
該反射器ホルダ（６）は、円筒状開口部（９）を介して光源取付部（５０）の周りに係合する、
ことを特徴とする、
請求項１６又は１７記載の照明装置。
【請求項２０】
該軸受点（８０）は、取付体（５）に部分球体レセプタクル（８０）／部分球体（の組合せ）として、特に光源取付部に形成され、又は、好ましくは軸受点部（５２）に形成され、
部分球体レセプタクル（８０）／部分球体（の組合せ）のための部分球体（８１）／部分球体レセプタクル（の組合せ）が、反射器ホルダ（６）に形成される、
ことを特徴とする、
請求項１６乃至１９のいずれかに記載の照明装置。
【請求項２１】
該部分球体レセプタクル（８０）／部分球体（の組合せ）は、光源取付部（５０）の、又は、軸受点部の内面に配置されることを特徴とする、
請求項２０記載の照明装置。
【請求項２２】
少なくとも１つの反射器（３）は、対応する反射器ホルダ（６）と一体に形成され、
該反射器ホルダ（６）は、取付け体（５）に対して少なくとも１つの軸、例えば垂直軸（Ｚ）を中心に回動可能となるように、キャリア要素（６５）に取り付けられ、
該キャリア要素（６５）は、２部分式構成を有し、
＋）取付体（５）の光源取付部（５０）に取り付けることができるとともに、垂直部分（５０）を取り付け、かつ、水平な光源取付部（５０）から略垂直に離れて延在する取付体（５）の第２垂直部（５１）に接続可能であるＬ字型取付ブラケット（６０）を備え、
＋）取付ブラケット（６０）の略垂直部（６０ａ）に固定することができるとともに、略水平保持ブラケット部（６１ｂ）を有するＬ字型保持ブラケット（６１）を備え、
該略水平保持ブラケット部（６１ｂ）に該反射器（３）は、垂直軸（Ｚ）を中心に回動可能に取り付けられるとともに、固定手段（１０）によって回動位置で固定することができる、
ことを特徴とする、
請求項１記載の照明装置。
【請求項２３】
保持ブラケット（６１）は、取付ブラケット（６０）に対して垂直方向に変位（摺動）させることができ、かつ、固定手段（２０）を用いて所定の位置に固定することができることを特徴とする、
請求項２２記載の照明装置。
【請求項２４】
取付ブラケット（６０）は、光出射方向に対して横方向に配置された横軸（Ｙ）を中心に回動可能となるように、取付体（５）の光源取付部（５０）に取り付けることができることを特徴とする、
請求項２２又は２３記載の照明装置。
【請求項２５】
照明ユニット（２）の光源（４）は、それぞれ、少なくとも１つの発光ダイオード、好ましくは２つ以上の発光ダイオードを含むことを特徴とする、
請求項１乃至２４のいずれか一に記載の照明装置。
【請求項２６】
反射器（３）の垂直回動軸（Ｚ）は、光源（４）を通ることを特徴とする、
請求項１乃至２５のいずれか一に記載の照明装置。
【請求項２７】
取付体（５）は、光源（４）のための冷却体（ないしヒートシンク）として形成されることを特徴とする、
請求項１乃至２６のいずれか一に記載の照明装置。
【請求項２８】
請求項１乃至２７のいずれか一に記載の少なくとも１つの照明装置（１）を備える自動車用ヘッドライト。
【請求項２９】
全体的な配光を生成するための請求項２８記載の左右のヘッドライトを有するヘッドライトシステム。
【請求項３０】
左側のヘッドライトは、全体的な配光の左側の部分を生成し、
右側のヘッドライトは、全体的な配光の右側の部分を生成する、
ことを特徴とする、
請求項２９記載のヘッドライトシステム。
【請求項３１】
全体的配光の左右の部分は、水平方向に関して、中央で重なることを特徴とする、
請求項３０記載のヘッドライトシステム。
【発明の詳細な説明】
【技術分野】
【０００１】
本発明は、少なくとも１つの照明ユニット、例えば、２つ以上の照明ユニットを備え、各照明ユニットは、
・反射器と、
・前記反射器に対応する少なくとも１つの光源と、
を備え、少なくとも１つの光源からの光を、対応する反射器（照明装置の設置状態）を介して車両の前方の領域に放出し、１つ以上の光源は、少なくとも１つの取付体に、好ましくは共通取付体上に、好ましくは固定的に、配置される自動車用照明装置に関する。
【０００２】
本発明は、少なくとも１つのそのような照明装置を備える、自動車用ヘッドライトにも関する。
【０００３】
最後に、本発明は、全体的配光を生成するための左右ヘッドライトを有するヘッドライトシステムにも関する。
【背景技術】
【０００４】
このような、例えば、セグメント化された配光を生成するための照明装置が知られている。照明装置の照明ユニットの各々は、配光の１つ以上の光セグメント（サブ配光）を生成し、配光のセグメントは、個々の照明ユニットのスイッチをオン及びオフ選択的に切り替えることにより、マスクアウト、すなわち点灯しないようにすることができ、又は、１つ以上のセグメントを選択的に点灯することができる。一例として、セグメント化された配光は、互いに水平方向に隣接して配置された光セグメントから構成されるメインビーム分配（ここで、全体のメインビーム分布は、左右の車両用ヘッドライトに取り付けた２つの照明装置によって形成される）である。
【発明の概要】
【発明が解決しようとする課題】
【０００５】
法的適合の又は最適で全体的配光形態（Gesamtlichtbild）を生成することができるために、個々の照明ユニットで生成されるサブ配光は、互いに、特に、水平及び／又は垂直方向について最適に配向させることができることが重要である。
【０００６】
本発明の目的は、簡単かつ確実にサブ配光のそのような配向を可能にすることである。
【課題を解決するための手段】
【０００７】
この目的は、本書冒頭で述べた照明装置を用いて以下の構成によって達成される。本発明によれば、少なくとも１つの照明ユニットの反射器、又は、２つ以上の照明ユニットの場合には少なくとも１つの反射器、好ましくは２つ以上の照明ユニットの２つ以上の反射器、特に好ましくは全ての反射器は、それぞれの反射器に割り当てられた少なくとも１つの軸、例えば、縦軸を中心に回動（旋回）可能となるように少なくとも１つの取付体に取り付けられ、回動位置に固定することができる。
【発明の効果】
【０００８】
本発明の結果として、冒頭で述べた照明装置の場合には、１つ以上、好ましくは全ての反射器を適切に調整することにより、１つ以上の照明ユニットの配光形態を互いに最適に整列することが可能であり、所望の最適かつ法的適合の全体的配光形態が生成が達成される。
【発明を実施するための形態】
【０００９】
ここで、反射器ホルダは、好ましくは、反射器をそれぞれ回動（旋回）可能にするために設けられ、反射器ホルダ（単数又は複数）は、少なくとも１つの軸の周り、例えば、垂直軸の周りに取付体に対して回動可能となるように取り付けられる。
【００１０】
ここで、変形例では、回動可能な反射器は、反射器ホルダに固定されるように接続され、又は、反射器ホルダと一体に形成されることが好ましい。
【００１１】
反射器及び反射器ホルダは、かくて、反射器の反射面が形成された１つの部品（ないし部材）である。この実施形態では、反射器及び反射器ホルダは、このように互いに同義語である。この実施形態では、反射器は、いくつかの構成部品から形成された、シンプル、コンパクトかつ安定した設計を有する。
【００１２】
しかしながら、回動可能な反射器は、また、反射器ホルダとは分離して形成された構成部品として形成してもよく、その構成部品は、反射器ホルダに移動可能に取り付けられる（ないし支承される）。
【００１３】
この場合、反射面は、このように構成部品（また、反射器ブロックと呼ぶ）に形成され、構成部品は、反射器ホルダに移動可能に取り付けられる。この変形例の利点は、その反射器ホルダ（及びそのような反射器）の回転性に加えて、調整可能性の数が提供されるように、反射器は、また、反射器ホルダに対して変位することができという事実にある。
【００１４】
独立して、反射器は、反射器ホルダとは分離して形成されるか、又は、固定して接続／一体で接続されるかどうかについて、反射器ホルダは、固定手段を用いて、例えば、少なくとも１つのネジを用いて、取付体の回動位置に容易に固定することができる。
【００１５】
反射器が反射器ホルダとは分離して形成された構成部品のように形成された変形例では、この構成部品は、有利には、固定手段を用いて、例えば、少なくとも１つのネジを用いて、反射器ホルダに固定することができる。
【００１６】
特別の実施形態によれば、反射器ホルダは、取付体に配置される第１軸受点及び第２軸受点を介して垂直軸回りに回動可能となるように取り付けられる。
【００１７】
ここで、用語「・・・配置される軸受点（Lagerstelle）」は、この軸受点が取付体に直接取り付けることができるという事実を含むが、必ずしも取付体に直接取り付ける必要はない。軸受点は、このように取付体に直接的かつ固定的に接続することができ、又は、取付プレートに取り付けることができ（さらに以下を参照）、取付プレートは、それ自身、さらに取付体に固定して接続可能であり、又は、取付体に接続される。
【００１８】
好ましくは、垂直軸の周りで回動可能にするために、２つの軸受点は、例えば、（取り付けられた状態の）取付体の上部及び下部の領域に、互いに対向して配置される。
【００１９】
本発明の有利な実施形態によれば、取付体は、光源を取り付けるための水平光源取付部と、水平光源取付部から垂直方向に離れて延在する垂直部と、光源取付部に対して略平行に延在する少なくとも１つのさらなる軸受点部と、を有し、該軸受点部には、少なくとも１つの反射器ホルダ用の少なくとも１つの軸受点が配置され、第２軸受点は、光源取付部に配置される。
【００２０】
ここで、特に、軸受点部は、各反射器ホルダに設けられ、各軸受点部は、各反射器ホルダ用の軸受点を有する。
【００２１】
軸受点部が取付プレートに形成されている場合、取付プレートが、取付体から分離し、かつ、取付体の光源取付部から離れて対向する領域で取付体に固定的に接続することができる点で特に有利である。
【００２２】
これは、軸受点部が取付体に形成する必要がなく、それゆえ取付体がより簡単に製造することができるという利点を有する。
【００２３】
また、専用の取付プレートの使用は、この取付プレート自身及びそれゆえ軸受点は、ある程度プレートに変位させることができ、こうして適切に配置することができるという利点を有する。
【００２４】
さらに、少なくとも１つの固定手段、例えば、固定ネジは、少なくとも１つの軸受点部に回転自在に取り付けられ、固定手段は垂直軸の周りで回動する位置で反射器ホルダを固定することができる。
【００２５】
このように、反射器は、’’その’’軸受点部、つまり’’その’’取付プレートに固定することができ、こうして取付体に対して固定することもできる。
【００２６】
特に、反射器が反射器ホルダから分離する構成部品として形成される場合、及び、反射器ホルダから分離する構成部品が垂直方向に変位（ないし摺動）可能となるように反射器ホルダに取り付けられる場合に有利である。
【００２７】
代替的に又は追加的に、反射器ホルダから分離する構成部品は、軸の周り、好ましくは垂直軸の周りに対して回動自在となるように反射器ホルダに有利に取り付けることもできる。
【００２８】
固定するために、少なくとも１つの固定手段、例えば、固定ねじが設けられ、固定手段は、構成部品を反射器ホルダ、好ましくはスロットを含む反射器ホルダの垂直部に固定することができる。
【００２９】
反射器ホルダが円筒状突起に回転可能に取り付けられることによって、反射器ホルダ用の軸受点が円筒状突起として形成されている場合、及び、反射器ホルダが対応する円筒状開口部、好ましくは部分円筒状開口部を有する場合にも有利である。
【００３０】
特に、ここでは、円筒状突起が取付体の光源取付部に配置されている場合に有利である。
【００３１】
ここで、円筒状突起は、光源取付部又は軸受点部の内面に配置してもよい。
【００３２】
ここで’’内’’面は、光源が配置された面である。
【００３３】
この場合、反射器ホルダは、組立の際、円筒状突起に円筒状開口部を介して簡単に’’嵌合（ないし載置）’’することができる。
【００３４】
しかしながら、円筒状突起も光源取付部又は軸受点部の外面に配置してもよく、反射器ホルダは、円筒状開口部を介して光源取付部の周囲に係合してもよい。
【００３５】
機能的には、円筒状突起が外部又は内部に懸かるかどうかはここでは違いはないが、内部に懸かる変形例は、光源用の回路基板によるスペースの問題につながる可能性があるので、それゆえ外部に配置された円筒状突起は好ましい。
【００３６】
軸受点が取付体に、部分球体レセプタクル／部分球体（の組合せ）として特に、光源取付部に形成される場合、又は、好ましくは軸受点部に形成される場合にも好都合であり、上記部分球体レセプタクル／部分球体（の組合せ）のため部分球体／部分球体レセプタクル（の組合せ）は、反射器ホルダに形成される。
【００３７】
部分球体レセプタクル／部分球体（の組合せ）は、光源取付部又は軸受点部の内面に有利に配置される。
【００３８】
本発明に係る照明装置のさらなる変形例によれば、少なくとも１つの反射器は、その対応する反射器ホルダと一体に形成され、反射器ホルダは、少なくとも１つの軸、例えば縦軸の周り取付体に対して回動可能となるようにキャリア要素に取り付けられ、前記キャリア要素は、２部分式構成を有し、
＋）取付体の光源取付部に取り付けられ、かつ、略垂直な水平光源取付部から離れる方向に延在する取付体の第２垂直部に接続可能であるＬ字型取付ブラケットを備える。
＋）取付ブラケットの略垂直部に固定することができるとともに、略水平保持ブラケット部を有するＬ字型取付ブラケットを備える。該水平保持ブラケット部に反射器が垂直軸を中心に回動可能に取り付けられ、かつ、固定手段により回動位置に固定することができる。
【００３９】
保持ブラケットが取付ブラケットに対して垂直方向に変位（摺動）することができ、かつ、固定手段を用いて所定の位置に固定することができる場合にこの点で有利である。
【００４０】
取付ブラケットは光出射方向に対して横切るように配置された水平軸を中心に回動可能となるように取付体の光源取付部に取り付ける場合に有利である。
【００４１】
反射器は、ｚ軸、つまり垂直軸を中心に回動可能である。反射器は、さらに、またｚ方向にも変位可能である。すなわち、反射器は、垂直にも調整（変位）することができる。最後に、反射器は、正確な調整のために水平軸（ｙ軸）の周りにも回動してもよい。
【００４２】
ねじの形態の固定手段は、このように固定及び調整のために使用される。調整のために、それは、従って、保持ブラケットの下面は、回路基板上で平らにしないで、傾きのわずかな角度を有していてもよい。
【００４３】
本発明の特別の実施形態によれば、照明ユニットの光源は、それぞれ、少なくとも１つの発光ダイオード、好ましくは少なくとも２つ以上の発光ダイオードを備える。
【００４４】
光学的観点からは、反射器の垂直回動軸が中間点又は光源の中心を通る場合に有利であってもよい。
【００４５】
取付体は、光源の廃熱を放散するために、光源用の冷却体（ないしヒートシンク）として形成されることが好ましい。
【００４６】
本発明は、少なくとも１つの前記照明装置を備える自動車用ヘッドライトにも関する。
【００４７】
また、本発明は、全体的配光を生成するための左右のヘッドライトを有するヘッドライトシステムに関し、左ヘッドライトは、全体的配光の左側の部分を生成することが好ましく、右のヘッドライトは、全体的配光の右側の部分を生成することが好ましい。
【００４８】
全体的配光の左右部分は、水平方向で見て、中央で有利に重なっていてもよい。
【図面の簡単な説明】
【００４９】
本発明は、以下、図面に基づいてより詳細に説明するものである。
【図１】図１は、斜め上方から見た本発明に係る照明装置の斜視図を示す。
【図１ａ】図１ａは、斜め下方から見た斜視図で図１の照明装置を示す。
【図２】図２は、本発明の第１変形例に係る照明装置用の照明ユニットの詳細図を示す。
【図２ａ】図２ａは、斜め後方から見た斜視図で図２の照明ユニットのキャリア要素の一部及び反射器の斜視図を示す。
【図２ｂ】図２ｂは、図２ａのような完全なキャリア要素の斜視図を示す。
【図２ｃ】図２ｃは、取付体上に配置される反射器を省略した図２ｂの構成部品を示す。
【図３】図３は、斜め前方から見た斜視図で本発明の第２変形例に係る照明装置用の照明ユニットの詳細図を示す。
【図３ａ】図３ａは、斜め下から見た図３に示した照明装置の詳細を示す。
【図３ｂ】図３ｂは、斜め後方から見た斜視図で図３の照明ユニットの反射器ホルダ及び反射器の斜視図を示す。
【図３ｃ】図３ｃは、反射器用のキャリア要素の一部の斜視図を示す。
【図３ｄ】図３ｄは、反射器用のキャリア要素の軸受領域における取付体を示す。
【図４】図４は、前方から見た斜視図で本発明の第３変形例に係る照明装置用の照明ユニットの詳細図を示す。
【図４ａ】図４ａは、下から見た斜視図で図４の照明装置用の反射器を示す。
【図５】図５は、正面から見た斜視図で本発明の第４変形例に係る照明装置用の照明ユニットの詳細図を示す。
【図５ａ】図５ａは、斜め後方から見た図５の照明装置を示す。
【図５ｂ】図５ｂは、斜め下から見た図で、図５の取付プレートを示している
【図５ｃ】図５ｃは、光源が取り付けられた斜め前方から見た斜視図で図５の照明装置用の取付体を示す。
【図５ｄ】図５ｄは、斜め下から見た斜視図で図５ｃの取付体を示す。
【図５ｅ】図５ｅは、斜め前方から見た斜視図で図５の反射器ホルダを示す。
【図５ｆ】図５ｆは、斜め後方から見た斜視図で図５の反射器を示す。
【図５ｇ】図５ｇは、図５ｅの反射器ホルダに挿入された図５ｆの反射器を示す。
【図６】図６は、前方から見た斜視図で本発明の第５変形例に係る照明装置用の照明ユニットの詳細図を示す。
【図６ａ】図６ａは、取付プレート及び光源が取り付けられた図６の取付体を示す。
【図６ｂ】図６ｂは、斜め下方から示す斜視図で図６及び図６ａの取付プレートを示す。
【図６ｃ】図６ｃは、斜め前方から見た斜視図で一体に形成された図６で使用される反射器又は反射器ホルダを示す。
【実施例】
【００５０】
図１及び図１ａは、異なる粒数の視線からの車両用照明装置１を示す。前記照明ユニットは、図示の例では８個の照明ユニット２を備える。
【００５１】
ここで、図１の図は’’上’’からの図として定義され、以下の図面における’’上’’及び’’下’’の表示は、それに応じて選択される。実際には、しかしながら、特に照明装置の照明ユニットの実施形態に応じて、照明装置は、図１に示さるような位置でも、また、逆さまにも配置することができ、その場合、上記用語の定義において図１ａで見える「下」は、上側を形成することになろう。
【００５２】
ここで、図面は、（車の進行方向で見て）左の照明装置を示し、右の照明装置とともに、このヘッドライトの配置は、自動車用の全体的配光を生成する。
【００５３】
各照明ユニット２は、反射器３と、反射器３に割り当てられた光源４と、を備え、光源からの光は、対応する反射器３（照明装置１の組付け状態）を介して車両の前方の領域に放出されるようになっている。
【００５４】
反射器３の反射面３ａは、一例として滑らかにすることができ、又は、例えば、セグメント化した手法で形成することができる。
【００５５】
照明ユニット２の光源４は、それぞれ、少なくとも１つの発光ダイオード、好ましくは２つ以上の発光ダイオードを備え、これらは、水平面内に位置し、かつ、ヘッドライトの外側、又は、照明装置の前の領域内の空間に光を放射する対応する反射器３を照らす。
【００５６】
各照明ユニット２は、サブ配光を形成し、８つの照明ユニット２のサブ配光は、照明装置１の（全体的な）配光を形成する。
【００５７】
一例として、個々の照明ユニット２のサブ配光（部分配向）は、ここでは水平方向に相互に隣接して配置され、照明ユニット２の反射器３は、照明ユニット２のサブ配光（複数）が、それぞれ、少なくとも１つの鋭く投影される垂直明暗境界を、場合によっては２つのそれぞれのサブ配光を横方向に区切る鋭く投影される垂直明暗境界を、有するように設計される。
【００５８】
ここで、’’垂直’’とは、明暗境界が例えば２５又は１０メートルの距離で照明装置の前方に位置する垂直スクリーンへの投影で垂直になることを意味する。もちろん、この明暗境界は車道上の（放射）光像において通常水平な平面内にある。これは、当業者には自ずと明らかであり、ここで単に明確化に資するべきものである。
【００５９】
個々の照明ユニット２の光源４は、互いに独立して作動させることができる。このようにして、個々の照明ユニットは、互いに独立してスイッチをオンオフすることができ、或いはまた調光することができ、かくて照明ユニットの個々のサブ配光を個々にスイッチをオンオフすることができる。
【００６０】
さらに、２つ以上の発光ダイオードを１つの光源に備える場合において、１つの光源の発光ダイオード（複数）が互いに独立して作動させることができる場合、又は、１つの光源の複数の発光ダイオードがグループにまとめられ、かつ、個々のグループが互いに独立して作動させることができる場合にも有利である。
【００６１】
一例として、１つの光源は、１つ以上の発光ダイオードをそれぞれ有する１つ以上のＬＥＤチップを有していてもよい。チップは、別々に作動または接続することができる。
【００６２】
各照明ユニットは、このように、（独立して作動可能なチップの数に応じて）露光に１つ以上のセグメントを生成し、照明ユニットのこれらの個々のセグメントも、次いでそれに応じて他のセグメントと独立して制御することができる。
【００６３】
互いに対して最適にサブ配光を配向できるように、本発明は、共通の発明概念によって結ばれた複数の実施形態を提示し、これらの実施形態は、以下に説明される。
【００６４】
原理的には、既に上述したように、個々の照明ユニット２の光源４は共通取付体５に取り付けられ、すべての実施形態についても同様である。この取付体５は、冷却体（ヒートシンク）として、つまり例えば効果的な熱伝導体、好ましくは金属である材料から形成されることが好ましく、光源の廃熱を放散することができるように冷却フィンを有することが好ましい。
【００６５】
しかしながら、複数の互いに別個の取付体も提供することができ、１つ以上の光源は個々の取付体のそれぞれに配置することができる。個々の取付体は、互いに固定状態で配置される。光源に割り当てられた反射器は、前記取付体に対してそれぞれ回動可能となるように、対応する光源の取付体に取り付けられている。
【００６６】
（変形例１）
図２及び図２ａ〜２ｃに示された本実施形態において、図２で明確に見られるように、取付体５は、Ｌ字形状の輪郭（プロファイル）を有する。
【００６７】
反射面３ａを有する反射器３は、反射器ホルダと一体に形成されており、反射器ホルダ６は、垂直軸Ｚを中心に回動（旋回）可能となるように支持（キャリア）要素６５上に取り付けられている。
【００６８】
キャリア要素６５は、２部分式構成を有し、Ｌ字形状の取付ブラケット６０及びＬ字状の保持ブラケット６１よりなる。
【００６９】
取付ブラケット６０は、取付体５の光源取付部５０に取り付けられている。光源４、特に（すべての照明ユニットの）光源４が配置される回路基板（Platine）４’も、この光源取付部５０上に取り付けられている。
【００７０】
そのため、光源取付部５０に対して略平行に延在する取付ブラケット部６０ｂを有する取付けブラケット６０は、取付ブラケット６０が取付体５の光源取付部５０に接続することができるように、平坦であることが好ましい。
【００７１】
さらに、取付ブラケット６０は、平坦部を有し、取付ブラケット部６０ｂに対して略垂直に配置された垂直起立部６０ａを有する。この略垂直起立部６０ａは、以下にさらに詳細に説明するように、設置位置において取付体５の垂直部５１に接続することができる。
【００７２】
Ｌ字形状の保持ブラケット６１は、取付ブラケット６０の略垂直起立部６０ａに固定することができる部分６１ａを有する。また、保持ブラケット６１は、略水平保持ブラケット部６１ｂを有している。反射器３は、垂直軸Ｚを中心に回動（旋回）可能となるように、略板状の水平保持ブラケット部６１ｂ上に取り付けられ、固定手段１０を使用して回動位置に固定することができる。
【００７３】
内側、つまり反射器に面する部分６１ａ側は、反射器がｚ軸を中心に回動できるように、例えば、楕円形の反射器の背面側に合わせた形状を有する。これは、図示されていない。
【００７４】
固定手段、例えば、ネジ１０は、部分６１ｂを介して穴６１ｂ'を介してここに通され、反射器３に螺合される。このため、反射器は、反射器３にねじ込まれ、かつ、その端部が（他のすべての実施形態のように）プラスチックから形成されるネジボルト又はセルフタッピングネジのいずれかを用いることが好ましい。
【００７５】
保持ブラケット６１は、取付ブラケット６０に対して垂直方向に変位（摺動）可能であることが好ましく、位置は、固定手段２０を使用して固定することができる。
【００７６】
これに関して、図２ａは、後方から見て反射器３が取り付けられた保持ブラケット６１を示す。部分６１ａは、（図示の）上部領域において、スロット６１ａ'と、その下方に丸穴２０’を有することがわかる。
【００７７】
丸穴２０’ （ネジのないもの）は、射出成形の過程で製造されるか、その後に穿孔されるかのどちらかによって、既にここに提供され、セルフタッピングネジは、この穴にねじ込まれる。
【００７８】
さらに認められるものは、反射器３に一体成形されており、かつ、反射器３を手動調整するために使用されるピン４０である。その下に配置される小ピン４１は、クランプワッシャにより反射器３を追加的に固定するために使用される。クランプワッシャは、小ピン４１上にヒートシンク（図示せず）を介して装着され、特別な工具によって取付ブラケット６０に押圧される。これはさらに、ｚ軸を中心とするネジ１０の望ましくない回動を防止する。
【００７９】
図２ｂでは、図２ａの構成部品が取付ブラケット６０に組み付けられた状態で示される。取付ブラケット６０は、その垂直起立部６０ａにおいて、スロット６１ａ’に対応する穴３０’（丸孔２０’と同様に製造される）及びその下にて保持ブラケット６１における丸穴２０’に対応するスロット２０’’を有する。
【００８０】
固定手段２０、例えばネジによって、保持ブラケット６１は、スロット２０’’及び開口部２０’を介して取付ブラケット６０に固定することができ、保持ブラケット６１は、スロット２０’’を介して取付ブラケット６０に対して垂直方向にある程度変位させることができる。
【００８１】
図２に戻って、図２ｃを考慮して参照すると、取付ブラケット６０は、設置位置において水平となり、かつ、光出射方向に対して横方向に配置される軸Ｙを中心に回動可能となるように、取付ブラケット６０の取付ブラケット部６０ｂの上に形成された対応するフック６０ｂ'によって、取付体５の光源取付部５０に形成された２つのブラケットアーム５０’で取付体５に取り付けられることがわかる。
【００８２】
反射器３は、このようにｚ軸、つまり垂直軸を中心に回動可能である。反射器３は、z方向にも変位可能であり、つまり、反射器３は、垂直方向位置を調整（変位）することができる。最後に、反射器３は、正確な調整のために水平軸（ｙ軸）を中心に回動することもできる。
【００８３】
取付体に対して取付ブラケット６０を固定するために、ねじ形態の固定手段３０が設けられる。取付ブラケット６０は、この固定手段を用いて軸Ｙを中心に回動し、固定手段３０は、このように取付体５に対して反射器を固定し調整するために使用される。
【００８４】
調整によって、取付ブラケット６０ｂの下面が取付体５上に平らに載らなくてもよく、つまり回路基板４上に載らなくてもよいが、傾きのわずかな角度を有してもよい（図から推定することができるように、取付ブラケットは、原則として、光源取付部５０上に直接ないが、光源取付部５０に取り付けられた回路基板４上にある）。
【００８５】
スペーサ６７は、例えば、保持プレートとヒートシンクとの間の設定された間隔を保持することができる変形可能なリングシール６７のために、取付ブラケット６０と取付体５との間に設けられる。リングシール６７の代わりに、渦巻ばねを使用することもできる。
【００８６】
（変形例２）
図３、図３ａ及び図３ｂに示された第２実施形態は、第１実施形態と実質的に同一である。これらの２つの実施形態の違いは、取付ブラケット６０が取付体の上側に固定されないという事実にあるが、取付ブラケット６０は、取付体５の光源取付部５０に対してクリップ５９を使用して押圧される。クリップ５９は、さらなる照明ユニット（図示せず）のさらなるクリップも係合する溝５８内に係合し、取付体５の光源取付部５０の下面に固定される。クリップ５９は、光源取付部５０の上側に対して取付ブラケット６０の取付ブラケット部６０ｂを押圧し、クリップ５９、及び、クリップ５９に対する取付ブラケット６０の接触領域は、変形例１を用いて説明したように、取付ブラケット６０が回動するように構成される。
【００８７】
一例として、取付ブラケット部６０ｂは、ここでは中でクリップ５９で押圧される溝６０ｂ’を有し（図３ａ参照）、また、取付ブラケット部６０ｂは、軸Ｙを中心に回動運動が可能となるように、取付体５の２つの高所（突起部）５’（図３ｄ）上に取り付けられる。
【００８８】
図３ｄは、さらに、ネジ３０がガイドされる取付体の穴３０’’を示す。
【００８９】
以下の大部分で説明された変形例３〜５は、変形例３を参照して最初に説明される同一の設計を有し、その後さらなる変形例の場合の違いが示される。
【００９０】
（変形例３）
図４は、再び照明ユニット２の領域におけるヒートシンクの形態での取付体５の一部を示す。取付体は、光源４を取り付けるための水平光源取付部５０と、水平光源取付部５０から垂直方向に離れるように延在する垂直部５１と、を有する。
【００９１】
また、取付体５は、さらに、光源取付部５０に対して略平行に延在する取付プレート５２を有し、取付プレート５２は、取付体５から分離するように形成されることが好ましく、取付プレート５２は、取付体５の光源取付部５０から離れて対向する領域で取付体５に固定的に接続することができる。
【００９２】
これは、軸受部を取付体に形成する必要がないという利点を有し、取付体は、このようにより簡単に製造することができる。
【００９３】
また、専用の取付プレート５２の使用は、この取付プレート自体、及び、取付プレート上の軸受点（さらに以下を参照）は、ある程度変位させることができ、それに応じて配置することができるという利点を有する。
【００９４】
以下では、変形例３で同様に使用される個々の構成部品はここでより良く見ることができるので、変形例４及び５に関する図面を参照されたい。取付プレート５２は、図５ｂ及び図６ｂにおいて孤立して示されている。取付プレート５２は、前記取付プレートが、取付体５に取り付けた場合（図５ｃ参照）に、対応する凹部１６’に固定することによって、戻り止めする２つの突起／フック１６を有する。フック１６は、主に取扱いを容易にするためだけに使用され、ネジを取り付ける前に、取付プレート５２がヒートシンク上に一時的に既に固定できるようにしたものである。取付プレート５２が配置された間のヒートシンク５上のウェブ１６’’は、既に非常に正確にＹ方向の取付プレートの位置を規定する。Ｘ方向における取付プレート５２の変位（摺動）を、しかしながら、位置決めのために行うことも可能である。
【００９５】
最後に、取付プレート５２は、ネジ１５を用いてヒートシンク５に固定することができ、その目的のために、一方では取付プレート５２は、スロット１６’’’（図５ｂ）を有し、他方ではネジ穴１５’ （図５ｃ）は、ヒートシンク５に設けられる。
【００９６】
図４に戻って参照すると、反射器ホルダ６が設けられていることがわかる。示された変形例３においては、反射器３及び反射器ホルダ６は、互いに一体に形成される。反射器３及び反射器ホルダ６は、このように１つの部品であり、その上に反射器３の反射面３ａが形成される。この実施形態（変形例１、２及び５）では、反射器３及び反射器ホルダ６は、このように互いに同義語である。反射器３は、この実施形態において、いくつかの構成部品から形成されたシンプルでコンパクトで安定した設計を有する。
【００９７】
反射器ホルダ６は、Ｚ軸を中心に旋回可能であり、かつ、回動位置に固定することができる。
【００９８】
そのため、第１軸受点（Lagerstelle）８０は、反射器ホルダ６のためのプレート５２上に設けられ、また、第２軸受点９０は、光源取付部５０上に設けられる。２つの軸受点は、互いに対向して配置され、回動軸Ｚを規定する。
【００９９】
２つの軸受点８０、９０の１つ、特に反射器ホルダ６のための第２軸受点９０は、円筒状突起（Zylinderfortsatz）として形成される。この円筒状突起は、図４に示され、図５ｄに明確に確認することができる。
【０１００】
反射器ホルダ６自身は、対応する円筒状開口部、好ましくは部分円筒状開口部９１を有し、部分円筒開口部９１は、図４ａに明確に確認することができ、部分円筒状開口９１によって、反射器ホルダ６は、円筒状突起９０の所で回転自在に取り付けられている。
【０１０１】
円筒状突起９０は、取付体５の光源取付部５０上に配置され、より具体的には、変形例３で示された円筒状突起９０は、光源取付部５０の外面に配置され、反射器ホルダ６は、光源取付部５０の周りで、円筒開口部９１を介して、つまり円筒状開口部を受ける領域を介して、係合する。
【０１０２】
その他、第１軸受点８０は、プレート５２上の部分球体レセプタクル８０として形成される；図４、図５ｂ、図６ｂを参照。
【０１０３】
反射器ホルダ６は、対応する部分球体８１（図５ｅ、５ｇ参照）を有し、今、これを介してレセプタクル８０内で回動可能に嵌合される。
【０１０４】
反射器３と一体に形成された反射器ホルダ６も、図６ｃ（変形例５）に示される。変形例５と変形例３との違いは、後で簡単に説明されるように、単に、円筒状突起９０は外側ではなく、取付体５の光源取付部５０の内側に配置という事実である。それに応じて円筒状開口９１は、変形例３に係る反射器ホルダ６の場合よりもわずかに異なって形成される。部分球体８１と上部領域は、しかしながら、両方の変形例において同様に形成される。
【０１０５】
反射器ホルダ６は、今や、球体レセプタクル８０内に部分球体８１を有する変形例３と５に挿入されており、プレート５２（図６ｂ参照）のフック１７は、反射器ホルダ６のスリット１７’と係合する。これは、組立体を簡素化したものであり、反射器ホルダ６及び取付プレート５２は、このように最大限に互いに対して関連して配置されるが、反射器ホルダは、依然として軸Ｚを中心に回動（旋回）することができる。
【０１０６】
ネジ１０により、反射器ホルダ６は、最後に、取付プレート５２のスロット１０’を介して、この目的のため円形のネジ穴１０を有する反射器ホルダ６にネジ止めされる（穴１０ 'は、射出成形の過程で生成されるか、その後にドリルで穴を形成し、その後、セルフタッピングネジがこの穴にねじ込まれる）。
【０１０７】
（変形例５）
この点で、既に上述されているので、円筒状突起９０が外側に配置しないで光源取付部５０の内側に配置され、かつ、それに応じて円筒状開口部９１の変形例３に係る反射器ホルダ６の場合よりもわずかに異なるように形成されるという違いを有する変形例３と同一の設計を有する変形例５（図６、図６ａ〜図６ｃ）と同様に参照されたい。部分球体８１を有する上部領域は、しかしながら、両方の変形例に同一に形成される。
【０１０８】
ここで、’’内側’’の面は、光源が配置された面である。この場合、反射器ホルダ６は、組立中に円筒状開口部９１を介して円筒状突起上に容易に’’嵌合’’することができ、円筒状開口部９１は、光源４の周囲に実際に配置される。
【０１０９】
（変形例４）
変形例４は、図５、図５ａ〜図５ｃに示され、原理的に変形例３と同一の設計を有し、特徴は、軸受点９０にも変形例５のように内部に形成することができることに留意すべきである。
【０１１０】
変形例３及び変形例５の主な違いは、反射器３及び反射器ホルダ６は、互いに一体に形成されていないという事実であるが、回動可能な反射器３は、反射器ホルダ６から分離して形成された構成部品７として形成され、構成部品７は、反射器ホルダ６に移動可能に取り付けられる。
【０１１１】
この場合、反射面３ａは、このように構成部品７（反射器ブロック７とも呼ぶ）上に形成され、構成部品７は、反射器ホルダ６上に移動可能に取り付けられる。この変形例の利点は、実際に存在する反射器ホルダ６の回転性（及び反射器３の回転性）に加えて、調整可能性の数が提供されるように、反射器３がまた、反射器ホルダ６に関して依然として調整可能である。
【０１１２】
反射器３又は構成部品７は、このように反射器ホルダ６上に取り付けられ、それに対して移動可能である。この相対運動は、反射器ホルダ６に対して垂直方向における反射器３又は構成部品７の変位可能性を意味すると主に理解される。しかしながら、反射器３又は構成部品７は、反射器ホルダ６に対して垂直（Ｚ）軸を中心に回動するように、反射器ホルダ６に取り付けてもよい。摺動、及び、反射器ホルダ６に対する反射器３又は構成部品７の回動の組み合わせも、理論的に考えられる。
【０１１３】
取付体５上の反射器ホルダ６の取り付けに関して、変形例３及び変形例５に関して行われるような同様のコメントは適用可能であり、それゆえ反射器３／反射器ホルダ６の分離によって製造の相違点のみを以下に述べる。
【０１１４】
図５ｅは、反射器ホルダ６を示し、図５ｆは、構成部品７（反射器３）を示し、図５ｇは、それに応じて形成された反射器ホルダ６に挿入される反射器３を示す。構成部品７は、垂直方向に調整可能となるように反射器ホルダ６に配置される。反射器ホルダ６はスロット２１’を有し、構成部品７（円形）はねじ孔７２（または穴７２は、射出成形の過程で製造されるか、その後のセルフタッピングねじがこの穴にねじ込まれる）を有する。このスロット２１’及び穴７２を介して、構成部品７は、ネジ２１を道いて様々な位置で反射器ホルダ６上に固定することができる。
【０１１５】
構成部品７上の延在部７４は、構成部品７を機械的に調整するためのハンドルとして使用される。
【０１１６】
２つの延在部４０は、反射器ホルダ６及び反射器３をＺ軸を中心に回動させるために使用される。
【符号の説明】
【０１１７】
１  照明装置
２  照明ユニット
３  反射器
４  光源
５  取付体
６  反射器ホルダ
７  構成部品
１０  ネジ
２０  固定手段
２１  ネジ、固定手段
３０光源取付部
５０  水平光源取付部、光源取付部
５１  垂直部、第２垂直部
５２  軸受点部
６０  Ｌ字型取付ブラケット、取付ブラケット
６０ａ  略垂直部
６１  Ｌ字型保持ブラケット、保持ブラケット
６１ｂ  略水平保持ブラケット部
６５  キャリア要素
８０  第１軸受点、軸受点、円筒状突起、部分球体レセプタクル
８１  部分球体
９０  第２軸受点
９１  部分円筒状開口部
【図１】
2015525952.tif 000003
【図１ａ】
2015525952.tif 000004
【図２】
2015525952.tif 000005
【図２ａ】
2015525952.tif 000006
【図２ｂ】
2015525952.tif 000007
【図２ｃ】
2015525952.tif 000008
【図３】
2015525952.tif 000009
【図３ａ】
2015525952.tif 000010
【図３ｂ】
2015525952.tif 000011
【図３ｃ】
2015525952.tif 000012
【図３ｄ】
2015525952.tif 000013
【図４】
2015525952.tif 000014
【図４ａ】
2015525952.tif 000015
【図５】
2015525952.tif 000016
【図５ａ】
2015525952.tif 000017
【図５ｂ】
2015525952.tif 000018
【図５ｃ】
2015525952.tif 000019
【図５ｄ】
2015525952.tif 000020
【図５ｅ】
2015525952.tif 000021
【図５ｆ】
2015525952.tif 000022
【図５ｇ】
2015525952.tif 000023
【図６】
2015525952.tif 000024
【図６ａ】
2015525952.tif 000025
【図６ｂ】
2015525952.tif 000026
【図６ｃ】
2015525952.tif 000027
【手続補正書】
【提出日】平成27年3月9日(2015.3.9)
【手続補正１】
【補正対象書類名】特許請求の範囲
【補正対象項目名】全文
【補正方法】変更
【補正の内容】
【特許請求の範囲】
【請求項１】
少なくとも１つの照明ユニット（２）を備え、
各照明ユニット（２）は、
・反射器（３）と、
・反射器（３）に対応する少なくとも１つの光源（４）と、
を含み、
少なくとも１つの光源（４）からの光は、対応する反射器（３）を介して車両の前方の領域内に放出され、
１つ以上の光源（４）は、少なくとも１つの取付体（５）に配置され、
少なくとも１つの照明ユニット（２）の反射器（３）、又は、２つ以上の照明ユニット（２）の場合は少なくとも１つの反射器（３）は、それぞれの反射器（３）に割り当てられた少なくとも１つの軸を中心に回動可能となるように、少なくとも１つの取付体（５）に取り付けられ、かつ、回動位置に固定することができ、
１つの反射器ホルダ（６）が、各反射器（３）を回動可能とするために設けられ、
該反射器ホルダ（単数又は複数）（６）は、取付体（５）に対して少なくとも１つの軸を中心に回動可能となるように取り付けられ、
回動可能な反射器（３）は、該反射器ホルダ（６）から分離して形成された構成部品（７）として形成され、
該構成部品（７）は、反射器ホルダ（６）に移動可能に取り付けられる（支承される）、
ことを特徴とする、
自動車用照明装置（１）。
【請求項２】
回動可能な反射器（３）は、該反射器ホルダに固定して接続されるか、又は、反射器ホルダ（６）と一体に形成されることを特徴とする。
請求項１記載の照明装置。
【請求項３】
該反射器ホルダ（６）は、固定手段を用いて取付体（５）に回動位置で固定することができることを特徴とする、
請求項１又は２記載の照明装置。
【請求項４】
該反射器ホルダ（６）から分離して形成された該構成部品（７）は、固定手段を用いて該反射器ホルダ（６）に固定することができることを特徴とする、
請求項１乃至３のいずれか一に記載の照明装置。
【請求項５】
該反射鏡ホルダ（６）は、取付体（５）に配置された第１軸受点（８０）及び第２軸受点（９０）を介して少なくとも１つの軸を中心に回動可能となるように取り付けられ、
２の軸受点（８０、９０）は、互いに対向して配置される、
ことを特徴とする、
請求項１乃至４のいずれか一に記載の照明装置。
【請求項６】
取付体（５）は、
光源（４）を取り付けるための水平光源取付部（５０）と、
水平光源取付部（５０）から垂直方向に離れて延在する垂直部（５１）と、
水平光源取付部（５０）に対して略平行に延在する少なくとも１つのさらなる軸受点部（５２）と、
を有し、
該軸受点部（５２）には、少なくとも１つの反射器ホルダ（６）のための少なくとも１つの軸受点（８０）が配置され、
第２の軸受点（９０）は、光源取付部（５０）に配置される、
ことを特徴とする、
請求項５記載の照明装置。
【請求項７】
軸受点部（５２）は、各反射器ホルダ（６）のために設けられ、
各軸受点部（５２）は、該反射器ホルダ（６）のための軸受点（８０）を有し、
軸受点部は、取付体（５）から分離され、かつ、取付体（５）の光源取付部（３０）から離れて対向する領域で取付体（５）に固定的に接続することができる取付プレート（５２）として形成される、
ことを特徴とする、
請求項５又は６記載の照明装置。
【請求項８】
少なくとも１つの固定手段が、少なくとも１つの軸受点部（５２）に回転可能に取り付けられ、
該反射器ホルダ（６）は、固定手段（１０）によって少なくとも１つの軸を中心に回動可能な位置に固定することができる、
ことを特徴とする、
請求項５乃至７のいずれか一に記載の照明装置。
【請求項９】
該反射器ホルダ（６）から分離する構成部品（７）は、垂直方向に変位可能となるように該反射器ホルダ（６）に取り付けられ、
該反射器ホルダ（６）から分離する構成部品（７）は、軸を中心にそれに対して回動可能となるように該反射器ホルダ（６）に取り付けられる、
ことを特徴とする、
請求項１乃至８のいずれか一に記載の照明装置。
【請求項１０】
少なくとも１つの固定手段、例えば固定ネジ（２１）が設けられ、
該固定手段（２１）によって、該構成部品（７）は、該反射器ホルダ（６）に固定することができる、
ことを特徴とする、
請求項９記載の照明装置。
【請求項１１】
該反射器ホルダ（６）のための軸受点（９０）は、円筒状突起（９０）として形成され、
該反射器ホルダ（６）は、対応する円筒状開口部を有し、
それによって、該反射器ホルダ（６）は、円筒状突起（９０）に回転可能に取り付けられ、
該円筒状突起（９０）は、取付体（５）の光源取付部（５０）に配置される、
ことを特徴とする
請求項５乃至１０のいずれか一に記載の照明装置。
【請求項１２】
該円筒状突起（９０）は、光源取付部（５０）の、又は、軸受点部の内面に配置される、
又は、
該円筒状突起（９０）は、光源取付部（５０）の、又は、軸受点部の外面に配置され、
該反射器ホルダ（６）は、シリンダ開口部（９）を介して光源取付部（５０）の周りに係合する、
ことを特徴とする、
請求項１１記載の照明装置。
【請求項１３】
該軸受点（８０）は、取付体（５）に部分球体レセプタクル（８０）／部分球体（の組合せ）として、特に光源取付部に、形成され、又は、軸受点部（５２）に形成され、
部分球体レセプタクル（８０）／部分球体（の組合せ）のための部分球体（８１）／部分球体レセプタクル（の組合せ）が、反射器ホルダ（６）に形成され、
該部分球体レセプタクル（８０）／部分球体（の組合せ）は、光源取付部（５０）の、又は、軸受点部の内面に配置される、
ことを特徴とする、
請求項１１又は１２記載の照明装置。
【請求項１４】
少なくとも１つの反射器（３）は、対応する反射器ホルダ（６）と一体に形成され、
該反射器ホルダ（６）は、取付け体（５）に対して少なくとも１つの軸を中心に回動可能となるように、キャリア要素（６５）に取り付けられ、
該キャリア要素（６５）は、２部分式構成を有し、
＋）取付体（５）の光源取付部（５０）に取り付けることができるとともに、垂直部分（５０）を取り付け、かつ、水平な光源取付部（５０）から略垂直に離れて延在する取付体（５）の第２垂直部（５１）に接続可能であるＬ字型取付ブラケット（６０）を備え、
＋）取付ブラケット（６０）の略垂直部（６０ａ）に固定することができるとともに、略水平保持ブラケット部（６１ｂ）を有するＬ字型保持ブラケット（６１）を備え、
該略水平保持ブラケット部（６１ｂ）に該反射器（３）は、少なくとも１つの軸を中心に回動可能に取り付けられるとともに、固定手段（１０）によって回動位置で固定することができる、
ことを特徴とする、
請求項１記載の照明装置。
【請求項１５】
保持ブラケット（６１）は、取付ブラケット（６０）に対して垂直方向に変位（摺動）させることができ、かつ、固定手段（２０）を用いて所定の位置に固定することができ、
取付ブラケット（６０）は、光出射方向に対して横方向に配置された横軸（Ｙ）を中心に回動可能となるように、取付体（５）の光源取付部（５０）に取り付けることができる、
ことを特徴とする、
請求項１４記載の照明装置。
【請求項１６】
照明ユニット（２）の光源（４）は、それぞれ、少なくとも１つの発光ダイオードを含むことを特徴とする、
請求項１乃至１５のいずれか一に記載の照明装置。
【請求項１７】
反射器（３）の少なくとも１つの軸は、光源（４）を通ることを特徴とする、
請求項１乃至１６のいずれか一に記載の照明装置。
【請求項１８】
取付体（５）は、光源（４）のための冷却体（ないしヒートシンク）として形成されることを特徴とする、
請求項１乃至１７のいずれか一に記載の照明装置。
【請求項１９】
少なくとも１つの軸は、垂直軸（Ｚ）であることを特徴とする、
請求項１乃至１８のいずれか一に記載の照明装置。
【請求項２０】
請求項１乃至１９のいずれか一に記載の少なくとも１つの照明装置（１）を備える自動車用ヘッドライト。
【請求項２１】
全体的な配光を生成するための請求項２０記載の左右のヘッドライトを有するヘッドライトシステム。
【請求項２２】
左側のヘッドライトは、全体的な配光の左側の部分を生成し、
右側のヘッドライトは、全体的な配光の右側の部分を生成し、
全体的な配光の左右の部分は、水平方向に関して、中央で重なる、
ことを特徴とする、
請求項２１記載のヘッドライトシステム。
【手続補正２】
【補正対象書類名】明細書
【補正対象項目名】全文
【補正方法】変更
【補正の内容】
【発明の詳細な説明】
【技術分野】
【０００１】
本発明は、少なくとも１つの照明ユニット、例えば、２つ以上の照明ユニットを備え、各照明ユニットは、
・反射器と、
・前記反射器に対応する少なくとも１つの光源と、
を備え、少なくとも１つの光源からの光を、対応する反射器（照明装置の設置状態）を介して車両の前方の領域に放出し、１つ以上の光源は、少なくとも１つの取付体に、好ましくは共通取付体上に、好ましくは固定的に、配置される自動車用照明装置に関する。
【０００２】
本発明は、少なくとも１つのそのような照明装置を備える、自動車用ヘッドライトにも関する。
【０００３】
最後に、本発明は、全体的配光を生成するための左右ヘッドライトを有するヘッドライトシステムにも関する。
【背景技術】
【０００４】
このような、例えば、セグメント化された配光を生成するための照明装置が知られている。照明装置の照明ユニットの各々は、配光の１つ以上の光セグメント（サブ配光）を生成し、配光のセグメントは、個々の照明ユニットのスイッチをオン及びオフ選択的に切り替えることにより、マスクアウト、すなわち点灯しないようにすることができ、又は、１つ以上のセグメントを選択的に点灯することができる。一例として、セグメント化された配光は、互いに水平方向に隣接して配置された光セグメントから構成されるメインビーム分配（ここで、全体のメインビーム分布は、左右の車両用ヘッドライトに取り付けた２つの照明装置によって形成される）である。
【先行技術文献】
【特許文献】
【０００５】
【特許文献１】特開２００９−２５９６５４号公報
【特許文献２】特開２００８−０１０２６５号公報
【特許文献３】独国特許出願公開第１０２００７０４０７２８号明細書
【特許文献４】国際公開第２０１２／０４８３５１号パンフレット
【特許文献５】特開２００７−００５１８２号公報
【特許文献６】特開２００８−０８９０８５号公報
【特許文献７】特開２００６−１７９２４６号公報
【発明の概要】
【発明が解決しようとする課題】
【０００６】
法的適合の又は最適で全体的配光形態（Gesamtlichtbild）を生成することができるために、個々の照明ユニットで生成されるサブ配光は、互いに、特に、水平及び／又は垂直方向について最適に配向させることができることが重要である。
【０００７】
本発明の目的は、簡単かつ確実にサブ配光のそのような配向を可能にすることである。
【課題を解決するための手段】
【０００８】
この目的は、本書冒頭で述べた照明装置を用いて以下の構成によって達成される。本発明によれば、少なくとも１つの照明ユニットの反射器、又は、２つ以上の照明ユニットの場合には少なくとも１つの反射器、好ましくは２つ以上の照明ユニットの２つ以上の反射器、特に好ましくは全ての反射器は、それぞれの反射器に割り当てられた少なくとも１つの軸、例えば、縦軸を中心に回動（旋回）可能となるように少なくとも１つの取付体に取り付けられ、回動位置に固定することができる。
一視点に係る自動車用照明装置は、少なくとも１つの照明ユニット、例えば２つ以上の照明ユニットを備え、各照明ユニットは、反射器と、反射器に対応する少なくとも１つの光源と、を含み、少なくとも１つの光源からの光は、（照明装置の設置状態で）対応する反射器を介して車両の前方の領域内に放出され、１つ以上の光源は、少なくとも１つの取付体に、好ましくは共通取付体に、好ましくは固定して、配置され、少なくとも１つの照明ユニットの反射器、又は、２つ以上の照明ユニットの場合は少なくとも１つの反射器、好ましくは２つ以上の照明ユニットの２つ以上の反射器、特に好ましくは全ての反射器は、それぞれの反射器に割り当てられた少なくとも１つの軸、例えば垂直軸を中心に回動可能となるように、少なくとも１つの取付体に取り付けられ、かつ、回動位置に固定することができ、１つの反射器ホルダが、各反射器を回動可能とするために設けられ、該反射器ホルダ（単数又は複数）は、取付体に対して少なくとも１つの軸、例えば垂直軸を中心に回動可能となるように取り付けられ、回動可能な反射器は、該反射器ホルダから分離して形成された構成部品として形成され、該構成部品は、反射器ホルダに移動可能に取り付けられる（支承される）。
【発明の効果】
【０００９】
本発明の結果として、冒頭で述べた照明装置の場合には、１つ以上、好ましくは全ての反射器を適切に調整することにより、１つ以上の照明ユニットの配光形態を互いに最適に整列することが可能であり、所望の最適かつ法的適合の全体的配光形態が生成が達成される。
【発明を実施するための形態】
【００１０】
ここで、反射器ホルダは、好ましくは、反射器をそれぞれ回動（旋回）可能にするために設けられ、反射器ホルダ（単数又は複数）は、少なくとも１つの軸の周り、例えば、垂直軸の周りに取付体に対して回動可能となるように取り付けられる。
【００１１】
ここで、変形例では、回動可能な反射器は、反射器ホルダに固定されるように接続され、又は、反射器ホルダと一体に形成されることが好ましい。
【００１２】
反射器及び反射器ホルダは、かくて、反射器の反射面が形成された１つの部品（ないし部材）である。この実施形態では、反射器及び反射器ホルダは、このように互いに同義語である。この実施形態では、反射器は、いくつかの構成部品から形成された、シンプル、コンパクトかつ安定した設計を有する。
【００１３】
しかしながら、回動可能な反射器は、また、反射器ホルダとは分離して形成された構成部品として形成してもよく、その構成部品は、反射器ホルダに移動可能に取り付けられる（ないし支承される）。
【００１４】
この場合、反射面は、このように構成部品（また、反射器ブロックと呼ぶ）に形成され、構成部品は、反射器ホルダに移動可能に取り付けられる。この変形例の利点は、その反射器ホルダ（及びそのような反射器）の回転性に加えて、調整可能性の数が提供されるように、反射器は、また、反射器ホルダに対して変位することができという事実にある。
【００１５】
独立して、反射器は、反射器ホルダとは分離して形成されるか、又は、固定して接続／一体で接続されるかどうかについて、反射器ホルダは、固定手段を用いて、例えば、少なくとも１つのネジを用いて、取付体の回動位置に容易に固定することができる。
【００１６】
反射器が反射器ホルダとは分離して形成された構成部品のように形成された変形例では、この構成部品は、有利には、固定手段を用いて、例えば、少なくとも１つのネジを用いて、反射器ホルダに固定することができる。
【００１７】
特別の実施形態によれば、反射器ホルダは、取付体に配置される第１軸受点及び第２軸受点を介して垂直軸回りに回動可能となるように取り付けられる。
【００１８】
ここで、用語「・・・配置される軸受点（Lagerstelle）」は、この軸受点が取付体に直接取り付けることができるという事実を含むが、必ずしも取付体に直接取り付ける必要はない。軸受点は、このように取付体に直接的かつ固定的に接続することができ、又は、取付プレートに取り付けることができ（さらに以下を参照）、取付プレートは、それ自身、さらに取付体に固定して接続可能であり、又は、取付体に接続される。
【００１９】
好ましくは、垂直軸の周りで回動可能にするために、２つの軸受点は、例えば、（取り付けられた状態の）取付体の上部及び下部の領域に、互いに対向して配置される。
【００２０】
本発明の有利な実施形態によれば、取付体は、光源を取り付けるための水平光源取付部と、水平光源取付部から垂直方向に離れて延在する垂直部と、光源取付部に対して略平行に延在する少なくとも１つのさらなる軸受点部と、を有し、該軸受点部には、少なくとも１つの反射器ホルダ用の少なくとも１つの軸受点が配置され、第２軸受点は、光源取付部に配置される。
【００２１】
ここで、特に、軸受点部は、各反射器ホルダに設けられ、各軸受点部は、各反射器ホルダ用の軸受点を有する。
【００２２】
軸受点部が取付プレートに形成されている場合、取付プレートが、取付体から分離し、かつ、取付体の光源取付部から離れて対向する領域で取付体に固定的に接続することができる点で特に有利である。
【００２３】
これは、軸受点部が取付体に形成する必要がなく、それゆえ取付体がより簡単に製造することができるという利点を有する。
【００２４】
また、専用の取付プレートの使用は、この取付プレート自身及びそれゆえ軸受点は、ある程度プレートに変位させることができ、こうして適切に配置することができるという利点を有する。
【００２５】
さらに、少なくとも１つの固定手段、例えば、固定ネジは、少なくとも１つの軸受点部に回転自在に取り付けられ、固定手段は垂直軸の周りで回動する位置で反射器ホルダを固定することができる。
【００２６】
このように、反射器は、’’その’’軸受点部、つまり’’その’’取付プレートに固定することができ、こうして取付体に対して固定することもできる。
【００２７】
特に、反射器が反射器ホルダから分離する構成部品として形成される場合、及び、反射器ホルダから分離する構成部品が垂直方向に変位（ないし摺動）可能となるように反射器ホルダに取り付けられる場合に有利である。
【００２８】
代替的に又は追加的に、反射器ホルダから分離する構成部品は、軸の周り、好ましくは垂直軸の周りに対して回動自在となるように反射器ホルダに有利に取り付けることもできる。
【００２９】
固定するために、少なくとも１つの固定手段、例えば、固定ねじが設けられ、固定手段は、構成部品を反射器ホルダ、好ましくはスロットを含む反射器ホルダの垂直部に固定することができる。
【００３０】
反射器ホルダが円筒状突起に回転可能に取り付けられることによって、反射器ホルダ用の軸受点が円筒状突起として形成されている場合、及び、反射器ホルダが対応する円筒状開口部、好ましくは部分円筒状開口部を有する場合にも有利である。
【００３１】
特に、ここでは、円筒状突起が取付体の光源取付部に配置されている場合に有利である。
【００３２】
ここで、円筒状突起は、光源取付部又は軸受点部の内面に配置してもよい。
【００３３】
ここで’’内’’面は、光源が配置された面である。
【００３４】
この場合、反射器ホルダは、組立の際、円筒状突起に円筒状開口部を介して簡単に’’嵌合（ないし載置）’’することができる。
【００３５】
しかしながら、円筒状突起も光源取付部又は軸受点部の外面に配置してもよく、反射器ホルダは、円筒状開口部を介して光源取付部の周囲に係合してもよい。
【００３６】
機能的には、円筒状突起が外部又は内部に懸かるかどうかはここでは違いはないが、内部に懸かる変形例は、光源用の回路基板によるスペースの問題につながる可能性があるので、それゆえ外部に配置された円筒状突起は好ましい。
【００３７】
軸受点が取付体に、部分球体レセプタクル／部分球体（の組合せ）として特に、光源取付部に形成される場合、又は、好ましくは軸受点部に形成される場合にも好都合であり、上記部分球体レセプタクル／部分球体（の組合せ）のため部分球体／部分球体レセプタクル（の組合せ）は、反射器ホルダに形成される。
【００３８】
部分球体レセプタクル／部分球体（の組合せ）は、光源取付部又は軸受点部の内面に有利に配置される。
【００３９】
本発明に係る照明装置のさらなる変形例によれば、少なくとも１つの反射器は、その対応する反射器ホルダと一体に形成され、反射器ホルダは、少なくとも１つの軸、例えば縦軸の周り取付体に対して回動可能となるようにキャリア要素に取り付けられ、前記キャリア要素は、２部分式構成を有し、
＋）取付体の光源取付部に取り付けられ、かつ、略垂直な水平光源取付部から離れる方向に延在する取付体の第２垂直部に接続可能であるＬ字型取付ブラケットを備える。
＋）取付ブラケットの略垂直部に固定することができるとともに、略水平保持ブラケット部を有するＬ字型取付ブラケットを備える。該水平保持ブラケット部に反射器が垂直軸を中心に回動可能に取り付けられ、かつ、固定手段により回動位置に固定することができる。
【００４０】
保持ブラケットが取付ブラケットに対して垂直方向に変位（摺動）することができ、かつ、固定手段を用いて所定の位置に固定することができる場合にこの点で有利である。
【００４１】
取付ブラケットは光出射方向に対して横切るように配置された水平軸を中心に回動可能となるように取付体の光源取付部に取り付ける場合に有利である。
【００４２】
反射器は、ｚ軸、つまり垂直軸を中心に回動可能である。反射器は、さらに、またｚ方向にも変位可能である。すなわち、反射器は、垂直にも調整（変位）することができる。最後に、反射器は、正確な調整のために水平軸（ｙ軸）の周りにも回動してもよい。
【００４３】
ねじの形態の固定手段は、このように固定及び調整のために使用される。調整のために、それは、従って、保持ブラケットの下面は、回路基板上で平らにしないで、傾きのわずかな角度を有していてもよい。
【００４４】
本発明の特別の実施形態によれば、照明ユニットの光源は、それぞれ、少なくとも１つの発光ダイオード、好ましくは少なくとも２つ以上の発光ダイオードを備える。
【００４５】
光学的観点からは、反射器の垂直回動軸が中間点又は光源の中心を通る場合に有利であってもよい。
【００４６】
取付体は、光源の廃熱を放散するために、光源用の冷却体（ないしヒートシンク）として形成されることが好ましい。
【００４７】
本発明は、少なくとも１つの前記照明装置を備える自動車用ヘッドライトにも関する。
【００４８】
また、本発明は、全体的配光を生成するための左右のヘッドライトを有するヘッドライトシステムに関し、左ヘッドライトは、全体的配光の左側の部分を生成することが好ましく、右のヘッドライトは、全体的配光の右側の部分を生成することが好ましい。
【００４９】
全体的配光の左右部分は、水平方向で見て、中央で有利に重なっていてもよい。
【図面の簡単な説明】
【００５０】
本発明は、以下、図面に基づいてより詳細に説明するものである。
【図１】図１は、斜め上方から見た本発明に係る照明装置の斜視図を示す。
【図１ａ】図１ａは、斜め下方から見た斜視図で図１の照明装置を示す。
【図２】図２は、本発明の第１変形例に係る照明装置用の照明ユニットの詳細図を示す。
【図２ａ】図２ａは、斜め後方から見た斜視図で図２の照明ユニットのキャリア要素の一部及び反射器の斜視図を示す。
【図２ｂ】図２ｂは、図２ａのような完全なキャリア要素の斜視図を示す。
【図２ｃ】図２ｃは、取付体上に配置される反射器を省略した図２ｂの構成部品を示す。
【図３】図３は、斜め前方から見た斜視図で本発明の第２変形例に係る照明装置用の照明ユニットの詳細図を示す。
【図３ａ】図３ａは、斜め下から見た図３に示した照明装置の詳細を示す。
【図３ｂ】図３ｂは、斜め後方から見た斜視図で図３の照明ユニットの反射器ホルダ及び反射器の斜視図を示す。
【図３ｃ】図３ｃは、反射器用のキャリア要素の一部の斜視図を示す。
【図３ｄ】図３ｄは、反射器用のキャリア要素の軸受領域における取付体を示す。
【図４】図４は、前方から見た斜視図で本発明の第３変形例に係る照明装置用の照明ユニットの詳細図を示す。
【図４ａ】図４ａは、下から見た斜視図で図４の照明装置用の反射器を示す。
【図５】図５は、正面から見た斜視図で本発明の第４変形例に係る照明装置用の照明ユニットの詳細図を示す。
【図５ａ】図５ａは、斜め後方から見た図５の照明装置を示す。
【図５ｂ】図５ｂは、斜め下から見た図で、図５の取付プレートを示している
【図５ｃ】図５ｃは、光源が取り付けられた斜め前方から見た斜視図で図５の照明装置用の取付体を示す。
【図５ｄ】図５ｄは、斜め下から見た斜視図で図５ｃの取付体を示す。
【図５ｅ】図５ｅは、斜め前方から見た斜視図で図５の反射器ホルダを示す。
【図５ｆ】図５ｆは、斜め後方から見た斜視図で図５の反射器を示す。
【図５ｇ】図５ｇは、図５ｅの反射器ホルダに挿入された図５ｆの反射器を示す。
【図６】図６は、前方から見た斜視図で本発明の第５変形例に係る照明装置用の照明ユニットの詳細図を示す。
【図６ａ】図６ａは、取付プレート及び光源が取り付けられた図６の取付体を示す。
【図６ｂ】図６ｂは、斜め下方から示す斜視図で図６及び図６ａの取付プレートを示す。
【図６ｃ】図６ｃは、斜め前方から見た斜視図で一体に形成された図６で使用される反射器又は反射器ホルダを示す。
【実施例】
【００５１】
図１及び図１ａは、異なる粒数の視線からの車両用照明装置１を示す。前記照明ユニットは、図示の例では８個の照明ユニット２を備える。
【００５２】
ここで、図１の図は’’上’’からの図として定義され、以下の図面における’’上’’及び’’下’’の表示は、それに応じて選択される。実際には、しかしながら、特に照明装置の照明ユニットの実施形態に応じて、照明装置は、図１に示さるような位置でも、また、逆さまにも配置することができ、その場合、上記用語の定義において図１ａで見える「下」は、上側を形成することになろう。
【００５３】
ここで、図面は、（車の進行方向で見て）左の照明装置を示し、右の照明装置とともに、このヘッドライトの配置は、自動車用の全体的配光を生成する。
【００５４】
各照明ユニット２は、反射器３と、反射器３に割り当てられた光源４と、を備え、光源からの光は、対応する反射器３（照明装置１の組付け状態）を介して車両の前方の領域に放出されるようになっている。
【００５５】
反射器３の反射面３ａは、一例として滑らかにすることができ、又は、例えば、セグメント化した手法で形成することができる。
【００５６】
照明ユニット２の光源４は、それぞれ、少なくとも１つの発光ダイオード、好ましくは２つ以上の発光ダイオードを備え、これらは、水平面内に位置し、かつ、ヘッドライトの外側、又は、照明装置の前の領域内の空間に光を放射する対応する反射器３を照らす。
【００５７】
各照明ユニット２は、サブ配光を形成し、８つの照明ユニット２のサブ配光は、照明装置１の（全体的な）配光を形成する。
【００５８】
一例として、個々の照明ユニット２のサブ配光（部分配向）は、ここでは水平方向に相互に隣接して配置され、照明ユニット２の反射器３は、照明ユニット２のサブ配光（複数）が、それぞれ、少なくとも１つの鋭く投影される垂直明暗境界を、場合によっては２つのそれぞれのサブ配光を横方向に区切る鋭く投影される垂直明暗境界を、有するように設計される。
【００５９】
ここで、’’垂直’’とは、明暗境界が例えば２５又は１０メートルの距離で照明装置の前方に位置する垂直スクリーンへの投影で垂直になることを意味する。もちろん、この明暗境界は車道上の（放射）光像において通常水平な平面内にある。これは、当業者には自ずと明らかであり、ここで単に明確化に資するべきものである。
【００６０】
個々の照明ユニット２の光源４は、互いに独立して作動させることができる。このようにして、個々の照明ユニットは、互いに独立してスイッチをオンオフすることができ、或いはまた調光することができ、かくて照明ユニットの個々のサブ配光を個々にスイッチをオンオフすることができる。
【００６１】
さらに、２つ以上の発光ダイオードを１つの光源に備える場合において、１つの光源の発光ダイオード（複数）が互いに独立して作動させることができる場合、又は、１つの光源の複数の発光ダイオードがグループにまとめられ、かつ、個々のグループが互いに独立して作動させることができる場合にも有利である。
【００６２】
一例として、１つの光源は、１つ以上の発光ダイオードをそれぞれ有する１つ以上のＬＥＤチップを有していてもよい。チップは、別々に作動または接続することができる。
【００６３】
各照明ユニットは、このように、（独立して作動可能なチップの数に応じて）露光に１つ以上のセグメントを生成し、照明ユニットのこれらの個々のセグメントも、次いでそれに応じて他のセグメントと独立して制御することができる。
【００６４】
互いに対して最適にサブ配光を配向できるように、本発明は、共通の発明概念によって結ばれた複数の実施形態を提示し、これらの実施形態は、以下に説明される。
【００６５】
原理的には、既に上述したように、個々の照明ユニット２の光源４は共通取付体５に取り付けられ、すべての実施形態についても同様である。この取付体５は、冷却体（ヒートシンク）として、つまり例えば効果的な熱伝導体、好ましくは金属である材料から形成されることが好ましく、光源の廃熱を放散することができるように冷却フィンを有することが好ましい。
【００６６】
しかしながら、複数の互いに別個の取付体も提供することができ、１つ以上の光源は個々の取付体のそれぞれに配置することができる。個々の取付体は、互いに固定状態で配置される。光源に割り当てられた反射器は、前記取付体に対してそれぞれ回動可能となるように、対応する光源の取付体に取り付けられている。
【００６７】
（変形例１）
図２及び図２ａ〜２ｃに示された本実施形態において、図２で明確に見られるように、取付体５は、Ｌ字形状の輪郭（プロファイル）を有する。
【００６８】
反射面３ａを有する反射器３は、反射器ホルダと一体に形成されており、反射器ホルダ６は、垂直軸Ｚを中心に回動（旋回）可能となるように支持（キャリア）要素６５上に取り付けられている。
【００６９】
キャリア要素６５は、２部分式構成を有し、Ｌ字形状の取付ブラケット６０及びＬ字状の保持ブラケット６１よりなる。
【００７０】
取付ブラケット６０は、取付体５の光源取付部５０に取り付けられている。光源４、特に（すべての照明ユニットの）光源４が配置される回路基板（Platine）４’も、この光源取付部５０上に取り付けられている。
【００７１】
そのため、光源取付部５０に対して略平行に延在する取付ブラケット部６０ｂを有する取付けブラケット６０は、取付ブラケット６０が取付体５の光源取付部５０に接続することができるように、平坦であることが好ましい。
【００７２】
さらに、取付ブラケット６０は、平坦部を有し、取付ブラケット部６０ｂに対して略垂直に配置された垂直起立部６０ａを有する。この略垂直起立部６０ａは、以下にさらに詳細に説明するように、設置位置において取付体５の垂直部５１に接続することができる。
【００７３】
Ｌ字形状の保持ブラケット６１は、取付ブラケット６０の略垂直起立部６０ａに固定することができる部分６１ａを有する。また、保持ブラケット６１は、略水平保持ブラケット部６１ｂを有している。反射器３は、垂直軸Ｚを中心に回動（旋回）可能となるように、略板状の水平保持ブラケット部６１ｂ上に取り付けられ、固定手段１０を使用して回動位置に固定することができる。
【００７４】
内側、つまり反射器に面する部分６１ａ側は、反射器がｚ軸を中心に回動できるように、例えば、楕円形の反射器の背面側に合わせた形状を有する。これは、図示されていない。
【００７５】
固定手段、例えば、ネジ１０は、部分６１ｂを介して穴６１ｂ'を介してここに通され、反射器３に螺合される。このため、反射器は、反射器３にねじ込まれ、かつ、その端部が（他のすべての実施形態のように）プラスチックから形成されるネジボルト又はセルフタッピングネジのいずれかを用いることが好ましい。
【００７６】
保持ブラケット６１は、取付ブラケット６０に対して垂直方向に変位（摺動）可能であることが好ましく、位置は、固定手段２０を使用して固定することができる。
【００７７】
これに関して、図２ａは、後方から見て反射器３が取り付けられた保持ブラケット６１を示す。部分６１ａは、（図示の）上部領域において、スロット６１ａ'と、その下方に丸穴２０’を有することがわかる。
【００７８】
丸穴２０’ （ネジのないもの）は、射出成形の過程で製造されるか、その後に穿孔されるかのどちらかによって、既にここに提供され、セルフタッピングネジは、この穴にねじ込まれる。
【００７９】
さらに認められるものは、反射器３に一体成形されており、かつ、反射器３を手動調整するために使用されるピン４０である。その下に配置される小ピン４１は、クランプワッシャにより反射器３を追加的に固定するために使用される。クランプワッシャは、小ピン４１上にヒートシンク（図示せず）を介して装着され、特別な工具によって取付ブラケット６０に押圧される。これはさらに、ｚ軸を中心とするネジ１０の望ましくない回動を防止する。
【００８０】
図２ｂでは、図２ａの構成部品が取付ブラケット６０に組み付けられた状態で示される。取付ブラケット６０は、その垂直起立部６０ａにおいて、スロット６１ａ’に対応する穴３０’（丸孔２０’と同様に製造される）及びその下にて保持ブラケット６１における丸穴２０’に対応するスロット２０’’を有する。
【００８１】
固定手段２０、例えばネジによって、保持ブラケット６１は、スロット２０’’及び開口部２０’を介して取付ブラケット６０に固定することができ、保持ブラケット６１は、スロット２０’’を介して取付ブラケット６０に対して垂直方向にある程度変位させることができる。
【００８２】
図２に戻って、図２ｃを考慮して参照すると、取付ブラケット６０は、設置位置において水平となり、かつ、光出射方向に対して横方向に配置される軸Ｙを中心に回動可能となるように、取付ブラケット６０の取付ブラケット部６０ｂの上に形成された対応するフック６０ｂ'によって、取付体５の光源取付部５０に形成された２つのブラケットアーム５０’で取付体５に取り付けられることがわかる。
【００８３】
反射器３は、このようにｚ軸、つまり垂直軸を中心に回動可能である。反射器３は、z方向にも変位可能であり、つまり、反射器３は、垂直方向位置を調整（変位）することができる。最後に、反射器３は、正確な調整のために水平軸（ｙ軸）を中心に回動することもできる。
【００８４】
取付体に対して取付ブラケット６０を固定するために、ねじ形態の固定手段３０が設けられる。取付ブラケット６０は、この固定手段を用いて軸Ｙを中心に回動し、固定手段３０は、このように取付体５に対して反射器を固定し調整するために使用される。
【００８５】
調整によって、取付ブラケット６０ｂの下面が取付体５上に平らに載らなくてもよく、つまり回路基板４上に載らなくてもよいが、傾きのわずかな角度を有してもよい（図から推定することができるように、取付ブラケットは、原則として、光源取付部５０上に直接ないが、光源取付部５０に取り付けられた回路基板４上にある）。
【００８６】
スペーサ６７は、例えば、保持プレートとヒートシンクとの間の設定された間隔を保持することができる変形可能なリングシール６７のために、取付ブラケット６０と取付体５との間に設けられる。リングシール６７の代わりに、渦巻ばねを使用することもできる。
【００８７】
（変形例２）
図３、図３ａ及び図３ｂに示された第２実施形態は、第１実施形態と実質的に同一である。これらの２つの実施形態の違いは、取付ブラケット６０が取付体の上側に固定されないという事実にあるが、取付ブラケット６０は、取付体５の光源取付部５０に対してクリップ５９を使用して押圧される。クリップ５９は、さらなる照明ユニット（図示せず）のさらなるクリップも係合する溝５８内に係合し、取付体５の光源取付部５０の下面に固定される。クリップ５９は、光源取付部５０の上側に対して取付ブラケット６０の取付ブラケット部６０ｂを押圧し、クリップ５９、及び、クリップ５９に対する取付ブラケット６０の接触領域は、変形例１を用いて説明したように、取付ブラケット６０が回動するように構成される。
【００８８】
一例として、取付ブラケット部６０ｂは、ここでは中でクリップ５９で押圧される溝６０ｂ’を有し（図３ａ参照）、また、取付ブラケット部６０ｂは、軸Ｙを中心に回動運動が可能となるように、取付体５の２つの高所（突起部）５’（図３ｄ）上に取り付けられる。
【００８９】
図３ｄは、さらに、ネジ３０がガイドされる取付体の穴３０’’を示す。
【００９０】
以下の大部分で説明された変形例３〜５は、変形例３を参照して最初に説明される同一の設計を有し、その後さらなる変形例の場合の違いが示される。
【００９１】
（変形例３）
図４は、再び照明ユニット２の領域におけるヒートシンクの形態での取付体５の一部を示す。取付体は、光源４を取り付けるための水平光源取付部５０と、水平光源取付部５０から垂直方向に離れるように延在する垂直部５１と、を有する。
【００９２】
また、取付体５は、さらに、光源取付部５０に対して略平行に延在する取付プレート５２を有し、取付プレート５２は、取付体５から分離するように形成されることが好ましく、取付プレート５２は、取付体５の光源取付部５０から離れて対向する領域で取付体５に固定的に接続することができる。
【００９３】
これは、軸受部を取付体に形成する必要がないという利点を有し、取付体は、このようにより簡単に製造することができる。
【００９４】
また、専用の取付プレート５２の使用は、この取付プレート自体、及び、取付プレート上の軸受点（さらに以下を参照）は、ある程度変位させることができ、それに応じて配置することができるという利点を有する。
【００９５】
以下では、変形例３で同様に使用される個々の構成部品はここでより良く見ることができるので、変形例４及び５に関する図面を参照されたい。取付プレート５２は、図５ｂ及び図６ｂにおいて孤立して示されている。取付プレート５２は、前記取付プレートが、取付体５に取り付けた場合（図５ｃ参照）に、対応する凹部１６’に固定することによって、戻り止めする２つの突起／フック１６を有する。フック１６は、主に取扱いを容易にするためだけに使用され、ネジを取り付ける前に、取付プレート５２がヒートシンク上に一時的に既に固定できるようにしたものである。取付プレート５２が配置された間のヒートシンク５上のウェブ１６’’は、既に非常に正確にＹ方向の取付プレートの位置を規定する。Ｘ方向における取付プレート５２の変位（摺動）を、しかしながら、位置決めのために行うことも可能である。
【００９６】
最後に、取付プレート５２は、ネジ１５を用いてヒートシンク５に固定することができ、その目的のために、一方では取付プレート５２は、スロット１６’’’（図５ｂ）を有し、他方ではネジ穴１５’ （図５ｃ）は、ヒートシンク５に設けられる。
【００９７】
図４に戻って参照すると、反射器ホルダ６が設けられていることがわかる。示された変形例３においては、反射器３及び反射器ホルダ６は、互いに一体に形成される。反射器３及び反射器ホルダ６は、このように１つの部品であり、その上に反射器３の反射面３ａが形成される。この実施形態（変形例１、２及び５）では、反射器３及び反射器ホルダ６は、このように互いに同義語である。反射器３は、この実施形態において、いくつかの構成部品から形成されたシンプルでコンパクトで安定した設計を有する。
【００９８】
反射器ホルダ６は、Ｚ軸を中心に旋回可能であり、かつ、回動位置に固定することができる。
【００９９】
そのため、第１軸受点（Lagerstelle）８０は、反射器ホルダ６のためのプレート５２上に設けられ、また、第２軸受点９０は、光源取付部５０上に設けられる。２つの軸受点は、互いに対向して配置され、回動軸Ｚを規定する。
【０１００】
２つの軸受点８０、９０の１つ、特に反射器ホルダ６のための第２軸受点９０は、円筒状突起（Zylinderfortsatz）として形成される。この円筒状突起は、図４に示され、図５ｄに明確に確認することができる。
【０１０１】
反射器ホルダ６自身は、対応する円筒状開口部、好ましくは部分円筒状開口部９１を有し、部分円筒開口部９１は、図４ａに明確に確認することができ、部分円筒状開口９１によって、反射器ホルダ６は、円筒状突起９０の所で回転自在に取り付けられている。
【０１０２】
円筒状突起９０は、取付体５の光源取付部５０上に配置され、より具体的には、変形例３で示された円筒状突起９０は、光源取付部５０の外面に配置され、反射器ホルダ６は、光源取付部５０の周りで、円筒開口部９１を介して、つまり円筒状開口部を受ける領域を介して、係合する。
【０１０３】
その他、第１軸受点８０は、プレート５２上の部分球体レセプタクル８０として形成される；図４、図５ｂ、図６ｂを参照。
【０１０４】
反射器ホルダ６は、対応する部分球体８１（図５ｅ、５ｇ参照）を有し、今、これを介してレセプタクル８０内で回動可能に嵌合される。
【０１０５】
反射器３と一体に形成された反射器ホルダ６も、図６ｃ（変形例５）に示される。変形例５と変形例３との違いは、後で簡単に説明されるように、単に、円筒状突起９０は外側ではなく、取付体５の光源取付部５０の内側に配置という事実である。それに応じて円筒状開口９１は、変形例３に係る反射器ホルダ６の場合よりもわずかに異なって形成される。部分球体８１と上部領域は、しかしながら、両方の変形例において同様に形成される。
【０１０６】
反射器ホルダ６は、今や、球体レセプタクル８０内に部分球体８１を有する変形例３と５に挿入されており、プレート５２（図６ｂ参照）のフック１７は、反射器ホルダ６のスリット１７’と係合する。これは、組立体を簡素化したものであり、反射器ホルダ６及び取付プレート５２は、このように最大限に互いに対して関連して配置されるが、反射器ホルダは、依然として軸Ｚを中心に回動（旋回）することができる。
【０１０７】
ネジ１０により、反射器ホルダ６は、最後に、取付プレート５２のスロット１０’を介して、この目的のため円形のネジ穴１０を有する反射器ホルダ６にネジ止めされる（穴１０ 'は、射出成形の過程で生成されるか、その後にドリルで穴を形成し、その後、セルフタッピングネジがこの穴にねじ込まれる）。
【０１０８】
（変形例５）
この点で、既に上述されているので、円筒状突起９０が外側に配置しないで光源取付部５０の内側に配置され、かつ、それに応じて円筒状開口部９１の変形例３に係る反射器ホルダ６の場合よりもわずかに異なるように形成されるという違いを有する変形例３と同一の設計を有する変形例５（図６、図６ａ〜図６ｃ）と同様に参照されたい。部分球体８１を有する上部領域は、しかしながら、両方の変形例に同一に形成される。
【０１０９】
ここで、’’内側’’の面は、光源が配置された面である。この場合、反射器ホルダ６は、組立中に円筒状開口部９１を介して円筒状突起上に容易に’’嵌合’’することができ、円筒状開口部９１は、光源４の周囲に実際に配置される。
【０１１０】
（変形例４）
変形例４は、図５、図５ａ〜図５ｃに示され、原理的に変形例３と同一の設計を有し、特徴は、軸受点９０にも変形例５のように内部に形成することができることに留意すべきである。
【０１１１】
変形例３及び変形例５の主な違いは、反射器３及び反射器ホルダ６は、互いに一体に形成されていないという事実であるが、回動可能な反射器３は、反射器ホルダ６から分離して形成された構成部品７として形成され、構成部品７は、反射器ホルダ６に移動可能に取り付けられる。
【０１１２】
この場合、反射面３ａは、このように構成部品７（反射器ブロック７とも呼ぶ）上に形成され、構成部品７は、反射器ホルダ６上に移動可能に取り付けられる。この変形例の利点は、実際に存在する反射器ホルダ６の回転性（及び反射器３の回転性）に加えて、調整可能性の数が提供されるように、反射器３がまた、反射器ホルダ６に関して依然として調整可能である。
【０１１３】
反射器３又は構成部品７は、このように反射器ホルダ６上に取り付けられ、それに対して移動可能である。この相対運動は、反射器ホルダ６に対して垂直方向における反射器３又は構成部品７の変位可能性を意味すると主に理解される。しかしながら、反射器３又は構成部品７は、反射器ホルダ６に対して垂直（Ｚ）軸を中心に回動するように、反射器ホルダ６に取り付けてもよい。摺動、及び、反射器ホルダ６に対する反射器３又は構成部品７の回動の組み合わせも、理論的に考えられる。
【０１１４】
取付体５上の反射器ホルダ６の取り付けに関して、変形例３及び変形例５に関して行われるような同様のコメントは適用可能であり、それゆえ反射器３／反射器ホルダ６の分離によって製造の相違点のみを以下に述べる。
【０１１５】
図５ｅは、反射器ホルダ６を示し、図５ｆは、構成部品７（反射器３）を示し、図５ｇは、それに応じて形成された反射器ホルダ６に挿入される反射器３を示す。構成部品７は、垂直方向に調整可能となるように反射器ホルダ６に配置される。反射器ホルダ６はスロット２１’を有し、構成部品７（円形）はねじ孔７２（または穴７２は、射出成形の過程で製造されるか、その後のセルフタッピングねじがこの穴にねじ込まれる）を有する。このスロット２１’及び穴７２を介して、構成部品７は、ネジ２１を道いて様々な位置で反射器ホルダ６上に固定することができる。
【０１１６】
構成部品７上の延在部７４は、構成部品７を機械的に調整するためのハンドルとして使用される。
【０１１７】
２つの延在部４０は、反射器ホルダ６及び反射器３をＺ軸を中心に回動させるために使用される。
【０１１８】
（付記）
第１の視点に係る自動車用照明装置は、少なくとも１つの照明ユニット、例えば２つ以上の照明ユニットを備える。各照明ユニットは、反射器と、反射器に対応する少なくとも１つの光源と、を含む。少なくとも１つの光源からの光は、（照明装置の設置状態で）対応する反射器を介して車両の前方の領域内に放出される。１つ以上の光源は、少なくとも１つの取付体に、好ましくは共通取付体に、好ましくは固定して、配置される。少なくとも１つの照明ユニットの反射器、又は、２つ以上の照明ユニットの場合は少なくとも１つの反射器、好ましくは２つ以上の照明ユニットの２つ以上の反射器、特に好ましくは全ての反射器は、それぞれの反射器に割り当てられた少なくとも１つの軸、例えば垂直軸を中心に回動可能となるように、少なくとも１つの取付体に取り付けられ、かつ、回動位置に固定することができる。１つの反射器ホルダが、各反射器を回動可能とするために設けられ、該反射器ホルダ（単数又は複数）は、取付体に対して少なくとも１つの軸、例えば垂直軸を中心に回動可能となるように取り付けられ、回動可能な反射器は、該反射器ホルダから分離して形成された構成部品として形成され、該構成部品は、反射器ホルダに移動可能に取り付けられる（支承される）。
【０１１９】
前記照明装置において、回動可能な反射器は、該反射器ホルダに固定して接続されるか、又は、好ましくは反射器ホルダと一体に形成される。
【０１２０】
前記照明装置において、該反射器ホルダは、固定手段を用いて、例えば少なくとも１つのネジを用いて取付体に回動位置で固定することができる。
【０１２１】
前記照明装置において、該反射器ホルダから分離して形成された該構成部品は、固定手段を用いて、例えば少なくとも１つのネジを用いて、該反射器ホルダに固定することができる。
【０１２２】
前記照明装置において、該反射鏡ホルダは、取付体に配置された第１軸受点及び第２軸受点を介して少なくとも１つの軸垂直軸を中心に回動可能となるように取り付けられる。２の軸受点は、互いに対向して、例えば（装着状態で）取付体の上部及び下部領域に配置される。
【０１２３】
前記照明装置において、取付体は、光源を取り付けるための水平光源取付部と、水平光源取付部から垂直方向に離れて延在する垂直部と、水平光源取付部に対して略平行に延在する少なくとも１つのさらなる軸受点部と、を有する。該軸受点部には、少なくとも１つの反射器ホルダのための少なくとも１つの軸受点が配置される。第２の軸受点は、光源取付部に配置される。
【０１２４】
前記照明装置において、軸受点部は、各反射器ホルダのために設けられる。各軸受点部は、該反射器ホルダのための軸受点を有する。軸受点部は、取付体から分離され、かつ、取付体の光源取付部から離れて対向する領域で取付体に固定的に接続することができる取付プレートとして形成される。
【０１２５】
前記照明装置において、少なくとも１つの固定手段、例えば固定ねじが、少なくとも１つの軸受点部に回転可能に取り付けられる。該反射器ホルダは、固定手段によって少なくとも１つの軸垂直軸を中心に回動可能な位置に固定することができる。
【０１２６】
前記照明装置において、該反射器ホルダから分離する構成部品は、垂直方向に変位可能となるように該反射器ホルダに取り付けられる。該反射器ホルダから分離する構成部品は、軸、好ましくは垂直軸を中心にそれに対して回動可能となるように該反射器ホルダに取り付けられる。
【０１２７】
前記照明装置において、少なくとも１つの固定手段、例えば固定ネジが設けられる。該固定手段によって、該構成部品は、該反射器ホルダ、好ましくは反射器ホルダの垂直部内に固定することができる。
【０１２８】
前記照明装置において、該反射器ホルダのための軸受点は、円筒状突起として形成される。該反射器ホルダは、対応する円筒状開口部、好ましくは部分円筒状開口部を有し、それによって、該反射器ホルダは、円筒状突起に回転可能に取り付けられる。該円筒状突起は、取付体の光源取付部に配置される。
【０１２９】
前記照明装置において、該円筒状突起は、光源取付部の、又は、軸受点部の内面に配置される、又は、該円筒状突起は、光源取付部の、又は、軸受点部の外面に配置される。該反射器ホルダは、シリンダ開口部を介して光源取付部の周りに係合する。
【０１３０】
前記照明装置において、該軸受点は、取付体に部分球体レセプタクル／部分球体（の組合せ）として、特に光源取付部に、形成され、又は、好ましくは軸受点部に形成される。部分球体レセプタクル／部分球体（の組合せ）のための部分球体／部分球体レセプタクル（の組合せ）が、反射器ホルダに形成される。該部分球体レセプタクル／部分球体（の組合せ）は、光源取付部の、又は、軸受点部の内面に配置される。
【０１３１】
前記照明装置において、少なくとも１つの反射器は、対応する反射器ホルダと一体に形成される。該反射器ホルダは、取付け体に対して少なくとも１つの軸、例えば垂直軸を中心に回動可能となるように、キャリア要素に取り付けられる。該キャリア要素は、２部分式構成を有する。該キャリア要素は、取付体の光源取付部に取り付けることができる。該キャリア要素は、垂直部分を取り付け、かつ、水平な光源取付部から略垂直に離れて延在する取付体の第２垂直部に接続可能であるＬ字型取付ブラケットを備える。該キャリア要素は、取付ブラケットの略垂直部に固定することができるとともに、略水平保持ブラケット部（６１ｂ）を有するＬ字型保持ブラケットを備える。該略水平保持ブラケット部に該反射器は、少なくとも１つの軸垂直軸を中心に回動可能に取り付けられるとともに、固定手段によって回動位置で固定することができる。
【０１３２】
前記照明装置において、保持ブラケットは、取付ブラケットに対して垂直方向に変位（摺動）させることができる。保持ブラケットは、固定手段を用いて所定の位置に固定することができる。取付ブラケットは、光出射方向に対して横方向に配置された横軸を中心に回動可能となるように、取付体の光源取付部に取り付けることができる。
【０１３３】
前記照明装置において、照明ユニットの光源は、それぞれ、少なくとも１つの発光ダイオード、好ましくは２つ以上の発光ダイオードを含む。
【０１３４】
前記照明装置において、反射器の少なくとも１つの軸垂直回動軸は、光源を通る。
【０１３５】
前記照明装置において、取付体は、光源のための冷却体（ないしヒートシンク）として形成される。
【０１３６】
前記照明装置において、少なくとも１つの軸は、垂直軸である。
【０１３７】
第２の視点に係る自動車用ヘッドライトは、前記少なくとも１つの照明装置を備える。
【０１３８】
第３の視点に係るヘッドライトシステムは、全体的な配光を生成するための左右の前記ヘッドライトを有する。
【０１３９】
前記ヘッドライトシステムにおいて、左側のヘッドライトは、全体的な配光の左側の部分を生成し、右側のヘッドライトは、全体的な配光の右側の部分を生成する。全体的な配光の左右の部分は、水平方向に関して、中央で重なる。
【０１４０】
なお、本出願において図面参照符号を付している場合は、それらは、専ら理解を助けるためのものであり、図示の態様に限定することを意図するものではない。
【０１４１】
なお、本発明の全開示（特許請求の範囲及び図面を含む）の枠内において、さらにその基本的技術思想に基づいて、実施形態ないし実施例の変更・調整が可能である。また、本発明の全開示の枠内において種々の開示要素（各請求項の各要素、各実施形態ないし実施例の各要素、各図面の各要素等を含む）の多様な組み合わせないし選択が可能である。すなわち、本発明は、請求の範囲及び図面を含む全開示、技術的思想にしたがって当業者であればなし得るであろう各種変形、修正を含むことは勿論である。また、本願に記載の数値及び数値範囲については、明記がなくともその任意の中間値、下位数値、及び、小範囲が記載されているものとみなされる。
【符号の説明】
【０１４２】
１  照明装置
２  照明ユニット
３  反射器
４  光源
５  取付体
６  反射器ホルダ
７  構成部品
１０  ネジ
２０  固定手段
２１  ネジ、固定手段
３０光源取付部
５０  水平光源取付部、光源取付部
５１  垂直部、第２垂直部
５２  軸受点部
６０  Ｌ字型取付ブラケット、取付ブラケット
６０ａ  略垂直部
６１  Ｌ字型保持ブラケット、保持ブラケット
６１ｂ  略水平保持ブラケット部
６５  キャリア要素
８０  第１軸受点、軸受点、円筒状突起、部分球体レセプタクル
８１  部分球体
９０  第２軸受点
９１  部分円筒状開口部
【手続補正３】
【補正対象書類名】図面
【補正対象項目名】図２ｃ
【補正方法】変更
【補正の内容】
【図２ｃ】
2015525952.tif 000028
【国際調査報告】
2015525952.tif 000029
2015525952.tif 000030
2015525952.tif 000031
2015525952.tif 000032
2015525952.tif 000033
2015525952.tif 000034